(57)【特許請求の範囲】
【請求項１】
喫煙箇所に配置され、該喫煙箇所で生じた煙草の煙を含む汚染空気を浄化する装置であって、
起立した喫煙者の背よりも大きい高さでかつ起立した喫煙者を上方から見た際の輪郭よりも大きな断面積を有して前記喫煙箇所に鉛直方向の上方にまっすぐに立設された中空の筒体と、
前記筒体の外周で起立した喫煙者の腰の高さに応じた箇所に配設された灰皿と、
前記灰皿の上部の前記筒体箇所に設けられ該筒体の外部と内部とを連通する空気吸込口と、
前記起立した喫煙者の口の高さに応じた前記筒体箇所に設けられ該筒体の外部と内部とを連通する第２の空気吸込口と、
前記第２の空気吸込口よりも上方で筒体の上部に収容され、植物が植えられると共に微生物が繁殖可能で、前記筒体の内部から外部への空気の流動を可能とした土壌と、
前記第２の空気吸込口よりも上方で前記土壌よりも下方の筒体の内部に設けられ、前記空気吸込口および第２の空気吸込口から空気を筒体の内部に吸い込み、筒体内部から前記土壌を通過させて該筒体の外部に流動させる空気流動手段と、
を備えたことを特徴とする喫煙箇所用汚染空気浄化装置。
【請求項２】
前記空気流動手段は、前記筒体の内部で前記土壌の下方箇所に配設されたファンで構成されている請求項１記載の喫煙箇所用汚染空気浄化装置。
【発明の詳細な説明】
【０００１】
【産業上の利用分野】
本発明は、特に、煙草の先端から立ちのぼる煙や喫煙者が吐き出す煙を含んだ汚染空気を浄化する場合に好適な喫煙箇所用汚染空気浄化装置に関する。
【０００２】
【従来の技術】
オフィスビル、ホテル、地下商店街、及びデパート等の、禁煙箇所が多く設定されている建物には、煙草を吸う人達のために、玄関ロビーや洗面所入口、休憩コーナー等に、灰皿を設置した喫煙箇所が設けられている。
このような喫煙箇所では、喫煙者が吸う煙草の先端から立ちのぼる煙や、喫煙者の口から吐き出される煙に含まれるニコチンやタール等の物質で空気が汚染されるが、従来の喫煙箇所には、このように煙草の煙で汚染された空気を浄化する装置が設置されていない。
【０００３】
【発明が解決しようとする課題】
これは、従来のフィルター式の空気浄化機器を単に設置したのでは、オフィスビル、ホテル、地下商店街、及びデパート等の玄関ロビーや洗面所入口、休憩コーナー等の美観を損なう等の問題があるためである。
本発明は前記事情に鑑みてなされたもので、本発明の目的は、美観を損なうことなく、美観の向上に役立つ植物を植えた土壌を利用して、煙草の先端から立ちのぼる煙や喫煙者が吐き出す煙で汚染された空気を浄化することができる喫煙箇所用汚染空気浄化装置を提供することを目的とする。
【０００４】
【課題を解決するための手段】
前記目的を達成するため本発明は、喫煙箇所に配置され、該喫煙箇所で生じた煙草の煙を含む汚染空気を浄化する装置であって、起立した喫煙者の背よりも大きい高さでかつ起立した喫煙者を上方から見た際の輪郭よりも大きな断面積を有して前記喫煙箇所に鉛直方向の上方にまっすぐに立設された中空の筒体と、前記筒体の外周で起立した喫煙者の腰の高さに応じた箇所に配設された灰皿と、前記灰皿の上部の前記筒体箇所に設けられ該筒体の外部と内部とを連通する空気吸込口と、前記起立した喫煙者の口の高さに応じた前記筒体箇所に設けられ該筒体の外部と内部とを連通する第２の空気吸込口と、前記第２の空気吸込口よりも上方で筒体の上部に収容され、植物が植えられると共に微生物が繁殖可能で、前記筒体の内部から外部への空気の流動を可能とした土壌と、前記第２の空気吸込口よりも上方で前記土壌よりも下方の筒体の内部に設けられ、前記空気吸込口および第２の空気吸込口から空気を筒体の内部に吸い込み、筒体内部から前記土壌を通過させて該筒体の外部に流動させる空気流動手段とを備えたことを特徴とする。
【０００５】
また、本発明は、前記空気流動手段は、前記筒体の内部で前記土壌の下方箇所に配設されたファンで構成されているものとした。
【０００６】
【実施例】
以下、本発明の実施例を図面に基づいて説明する。
図１は本発明の一実施例による喫煙箇所用汚染空気浄化装置の正面図である。
図１中全体符号１で示す本実施例の喫煙箇所用汚染空気浄化装置は、例えばオフィスのロビーや飲食店の待ち合わせ場所等の喫煙箇所３に設置されるもので、筒体１１と、植物１３が植えられると共に微生物が繁殖可能で空気の通過が可能な土壌１５等を備えている。
【０００７】
筒体１１は中空の円筒状を呈し、その下部に移動用のフリーキャスタ１１０１と、設置位置固定用の脚部１１０３とを備えている。
前記筒体１１は、図１に示すように、起立した喫煙者の背よりも大きい高さでかつ起立した喫煙者を上方から見た際の輪郭よりも大きな断面積を有して前記喫煙箇所に鉛直方向の上方にまっすぐに立設されている。
脚部１１０３は伸縮可能で且つ筒体１１の内部に収容可能に構成されている。
また、筒体１１の外周１１０５には、喫煙箇所用汚染空気浄化装置１の脇で起立した喫煙者５の腰５１の高さに応じた箇所で、筒体１１の周方向に９０°ずつ位相をずらした４つの外周１１０５箇所に、灰皿１１０７及び空気吸込口１１０９が設けられており、空気吸込口１１０９は灰皿１１０７の直上に配置されている。
【０００８】
さらに、筒体１１の外周１１０５には、前記起立した喫煙者５の口５３の高さに応じた箇所に、筒体１１の全周に亘って第２の空気吸込口１１１１が設けられており、第２の空気吸込口１１１１の上方の外周１１０５箇所には、種々の文字情報や現在時刻等を表示するディスプレイ１１１３が設けられている。
【０００９】
筒体１１の縦断面図である図２に示すように、筒体１１の内部には、その上端で前記第２の空気吸込口１１１１より上側部分に、土壌収容部１１１５とファン１１１７（空気流動手段に相当）とが設けられており、ファン１１１７は土壌収容部１１１５の下方に配置されている。
筒体１１の上部拡大縦断面図である図３に示すように土壌収容部１１１５は、底部が網１１１９で仕切られており、上部には開口１１２１が形成されていて、内部には土壌１５が収容されている。
【００１０】
土壌１５は図２及び図３に示すように、網１１１９の網目より大きい砕石等からなる礫層１５０１と、パーライト等を混合して空隙率を高めた黒土層１５０３とで構成され、礫層１５０１が土壌収容部１１１５の下側に敷設され、黒土層１５０３が礫層１５０１の上に敷設されている。
黒土層１５０３には図２及び図３に示すように、例えば柘植等の植物１３が植えられており、土壌収容部１１１５の開口１１２１から筒体１１の上方に露出されている。
【００１１】
また、図３に示すように、土壌収容部１１１５の網１１１９の下方には水受け皿１１２３が配設されている。
水受け皿１１２３は、中央の凹部１１２５とその周囲の傾斜面１１２７とで構成されている。
ファン１１１７は図３に示すようにカバー１１２９で覆われており、カバー１１２９の下面には開口１１３１が設けられ、上端には送風管１１３３の一端が接続されていて、送風管１１３３の他端は水受け皿１１２３の凹部１１２５の側方に接続されている。
【００１２】
一方、筒体１１内部の下端には図２に示すように、水タンク１１３５、ポンプ１１３７、及びバッテリー１１３９が配設されている。
図２に示すように、水タンク１１３５には送水パイプ１１４１の一端が接続されており、送水パイプ１１４１の他端は前記土壌収容部１１１５の黒土層１５０３内に延出している。
送水パイプ１１４１の他端周面には複数の出水孔１１４３が形成されている。
【００１３】
ポンプ１１３７は、水タンク１１３５内の水を送水パイプ１１４１を介して前記土壌収容部１１１５の黒土層１５０３に送り込む。
黒土層１５０３に送り込まれた水は、黒土層１５０３及び礫層１５０１に滲み渡り、植物１３に吸収されなかった余った水は、網１１１９の網目を通って水受け皿１１２３に流れ込み、その傾斜面１１２７を流れて凹部１１２５に貯留される。
水受け皿１１２３の凹部１１２５に貯留された水は、図２及び図３に示す水抜きパイプ１１４５を通って水タンク１１３５に還流される。
バッテリー１１３９は、前記ファン１１１７及びポンプ１１３７に駆動用電力を供給する。
【００１４】
次に、上述のように構成された本実施例の喫煙箇所用汚染空気浄化装置１による空気浄化動作について説明する。
筒体１１内ではファン１１１７が駆動されており、これにより、カバー１１２９の下面の開口１１３１から筒体１１の内部の空気が吸い込まれて、筒体１１内部が負圧となる。
【００１５】
筒体１１内部が負圧となると、筒体１１の内部と外部とを連通する空気吸込口１１０９及び第２の空気吸込口１１１１から筒体１１の内部に空気が吸い込まれ、その吸い込まれた空気がファン１１１７により、カバー１１２９の開口１１３１、カバー１１２９内、及び送風管１１３３を介して、水受け皿１１２３と網１１１９とで画成される空間に送り込まれ、網１１１９の網目を通って土壌収容部１１１５内の礫層１５０１に送り込まれる。
礫層１５０１に送り込まれた空気は、礫層１５０１内の空隙を通って黒土層１５０３に達し、さらに、黒土層１５０３内の空隙を通って植物１３の隙間を抜け、土壌収容部１１１５上部の開口１１２１から筒体１１の外部に放出される。
【００１６】
つまり、本実施例の喫煙箇所用汚染空気浄化装置１では、ファン１１１７が駆動されると、筒体１１の外部の空気が空気吸込口１１０９及び第２の空気吸込口１１１１から筒体１１の内部に吸い込まれ、その空気が筒体１１の内部を通って土壌収容部１１１５内の礫層１５０１に送り込まれ、さらに、黒土層１５０３を通過して筒体１１の上部からその外部に放出される。
【００１７】
従って、喫煙箇所用汚染空気浄化装置１の脇に立った喫煙者５が煙草７（図１）を灰皿１１０７に置くと、その煙草７の先端から立ちのぼる煙を含んだ汚染空気が、空気吸込口１１０９から筒体１１の内部に吸い込まれ、また、喫煙者５が口５３から吐き出した煙を含んだ汚染空気が、空気吸込口１１０９から筒体１１の内部に吸い込まれて、上述のように、ファン１１１７の駆動により筒体１１の内部を通って土壌収容部１１１５内の礫層１５０１乃至黒土層１５０３に送り込まれる。
【００１８】
空気吸込口１１０９及び第２の空気吸込口１１１１から吸い込まれた汚染空気が礫層１５０１や黒土層１５０３を通過する際には、それらのフィルターとしての物理的な作用により、汚染空気中に含まれたニコチンやタール等の物質が捕捉、吸着される。
また、黒土層１５０３中の微生物により不純成分等、汚染物質の分解が行なわれる。
【００１９】
具体的には、黒土層１５０３の表面や、或は黒土層１５０３の内部で空気が流動する部分には、好気性微生物が繁殖し、黒土層１５０３の内部で空気が流動しない部分には、嫌気性微生物が繁殖し、これら微生物の菌体内で前記汚染空気が消費されたり呼吸で使われる等することで、例えば、一酸化炭素は主に二酸化炭素に変化され、メタンガスは主に二酸化炭素と水に分解される等して、汚染空気中の種々の汚染物質が除去される。
そして、ニコチンやタール等を始めとする種々の汚染物質が除去された清浄な空気が、黒土層１５０３を通って植物１３の間の黒土層１５０３の表面から筒体１１の外部に放出される。
【００２０】
このように本実施例の喫煙箇所用汚染空気浄化装置１によれば、灰皿１１０７上の煙草７の先端や喫煙者５の呼気から生じる、ニコチンやタール等の汚染物質を含んだ汚染空気を、空気吸込口１１０９及び第２の空気吸込口１１１１から筒体１１の内部に吸い込み、その吸い込んだ汚染空気をファン１１１７の駆動によって、筒体１１の内部で植物１３を植えた土壌１５内に導き、汚染空気が土壌１５中を通過する際に、ニコチンやタール等の汚染物質を礫層１５０１や黒土層１５０３で捕捉、吸着させると共に、その他の一酸化炭素等の汚染物質を、黒土層１５０３中に繁殖した微生物により分解、除去し、それら汚染物質が除去された清浄な空気を、筒体１１の上端から外部中に放出するようにした。
【００２１】
このため、喫煙箇所用汚染空気浄化装置１が設置された、例えばオフィスのロビーや飲食店の待ち合わせ場所等の喫煙箇所３の、煙草７の先端から立ちのぼる煙や喫煙者５が吐き出す煙で汚染された空気を浄化することができる。
そして、土壌１５に植えられた植物１３が筒体１１の上部に位置することから、喫煙箇所用汚染空気浄化装置１を室内装飾として用いることができ、違和感なく喫煙箇所３に設置できると共に、喫煙箇所３の美観を向上させることができる。
また、筒体１１の外周１１０５のディスプレイ１１１３に各種情報や現在時刻等を表示することで、喫煙箇所用汚染空気浄化装置１に付加価値を与えることができる。
【００２２】
尚、植物１３の入れ換えや、礫層１５０１及び（又は）黒土層１５０３の入れ換えは任意であり、特に、定期的に植物１３の入れ換えを行えば、喫煙箇所用汚染空気浄化装置１の装飾性が増し、美観を高める上でも有利となる。
また、ファン１１１７及びポンプ１１３７は、本実施例のようにバッテリー１１３９で駆動してもよく、或は、商用電源や太陽電池等で駆動してもよい。
【００２３】
さらに、本実施例では、空気吸込口１１０９及び第２の空気吸込口１１１１から吸い込まれた汚染空気を、水受け皿１１２３と網１１１９とで画成される空間に送り込み、網１１１９の網目を通って土壌収容部１１１５内の礫層１５０１乃至黒土層１５０３に送り込む構成としたが、例えば、送風管１１３３の他端を礫層１５０１又は黒土層１５０３内に導き、送風管１１３３から直接礫層１５０１又は黒土層１５０３に汚染空気を送り込む構成としてもよい。
また、本実施例では、水タンク１１３５内の水をポンプ１１３７及び送水パイプ１１４１により自動的に土壌１５に給水するものとしたが、水タンク１１３５、ポンプ１１３７、及び送水パイプ１１４１を省略し、土壌１５への給水を喫煙箇所用汚染空気浄化装置１と別に設けられた散水装置等や人手により行うようにしてもよい。
【００２４】
そして、本実施例では、喫煙箇所用汚染空気浄化装置１をオフィスのロビーや飲食店の待ち合わせ場所等の喫煙箇所３に設置する場合について説明したが、本発明の喫煙箇所用汚染空気浄化装置は、そのような屋内の喫煙箇所に限定して適用されるものではなく、例えば公園や駅、歩道等、屋外の喫煙箇所等にも適用されることは言うまでもない。
【００２５】
【発明の効果】
以上説明したように本発明の喫煙箇所用汚染空気浄化装置によれば、美観を損なうことなく、美観の向上に役立つ植物を植えた土壌を利用して、煙草の先端から立ちのぼる煙や喫煙者が吐き出す煙で汚染された空気を浄化することができる。
【図面の簡単な説明】
【図１】本発明の一実施例による喫煙箇所用汚染空気浄化装置の正面図である。
【図２】図１に示す筒体の縦断面図である。
【図３】図１に示す筒体の上部拡大縦断面図である。
【符号の説明】
１  喫煙箇所用汚染空気浄化装置
１１  筒体
１１０５  筒体外周
１１０７  灰皿
１１０９  空気吸込口
１１１１  第２の空気吸込口
１１１７  ファン（空気流動手段）
１３  植物
１５  土壌
３  喫煙箇所
５  喫煙者
５１  喫煙者の腰
５３  喫煙者の口
７  煙草
【図１】
0003722448.tif 000002
【図２】
0003722448.tif 000003
【図３】
0003722448.tif 000004